(57)【要約】【課題】ユーザーに必要な１又は複数種類のサプリメントを簡単・確実・迅速に決定し、決定された１又は複数種類のサプリメントを分包機で自動的に分包してユーザーに迅速に提供でき、更に、最終的にはユーザーが購入予定のサプリメント、購入量、価格を決定できるサプリメント調合システムを提供する。【解決手段】ユーザーの症状、ユーザーがサプリメントを摂る目的、ユーザーが希望する栄養素、ユーザーが希望する商品名又は会社名等を入力することにより、商品マスターデータベース、症状栄養素データベース、目的栄養素データベース等のデータに基づいて、ユーザーに必要な（所望の）１又は複数種類のサプリメントが決定され、その後、１日あたりの価格、所定服用回数分の価格が算出され、購入するサプリメントやその量を変更可能に構成されている。【選択図】  図４
2004272618.tif 000002
【特許請求の範囲】
【請求項１】
表示手段とコンピュータとを備え各ユーザー用に複数種のサプリメントを調合するサプリメント調合システムであって、
複数種のサプリメントについて夫々１又は複数種の栄養素データを含むマスターデータを格納したマスターデータベースと、
複数種の症状の各々と１又は複数種の栄養素との対応関係データを格納した症状栄養素データベースと、
ユーザーの症状を入力可能な症状入力手段と、
前記症状入力手段から入力された症状と、マスターデータベースと症状栄養素データベースのデータとに基づいて前記症状を改善可能な１又は複数種のサプリメントを決定するサプリメント決定手段と、
複数種のサプリメントを収納しておき、サプリメント決定手段で決定されたサプリメントを自動的に分包する分包機と、
を備えたことを特徴とするサプリメント調合システム。
【請求項２】
表示手段とコンピュータとを備え各ユーザー用に複数種のサプリメントを調合するサプリメント調合システムであって、
複数種のサプリメントについて夫々１又は複数種の栄養素データを含むマスターデータを格納したマスターデータベースと、
種々のユーザーがサプリメントを摂る複数種の目的の各々と１又は複数種の栄養素との対応関係データを格納した目的栄養素データベースと、
ユーザーがサプリメントを摂る目的を入力可能な目的入力手段と、
前記目的入力手段から入力された目的と、マスターデータベースと目的栄養素データベースのデータとに基づいて前記目的に合った１又は複数種のサプリメントを決定するサプリメント決定手段と、
複数種のサプリメントを収納しておき、サプリメント決定手段で決定されたサプリメントを自動的に分包する分包機と、
を備えたことを特徴とするサプリメント調合システム。
【請求項３】
表示手段とコンピュータとを備え各ユーザー用に複数種のサプリメントを調合するサプリメント調合システムであって、
複数種のサプリメントについて夫々１又は複数種の栄養素データを含むマスターデータを格納したマスターデータベースと、
ユーザーが希望する栄養素を入力可能な栄養素入力手段と、
前記栄養素入力手段から入力された栄養素と、マスターデータベースのデータとに基づいてユーザーが欲する１又は複数種のサプリメントを決定するサプリメント決定手段と、
複数種のサプリメントを収納しておき、サプリメント決定手段で決定されたサプリメントを自動的に分包する分包機と、
を備えたことを特徴とするサプリメント調合システム。
【請求項４】
前記サプリメント決定手段でサプリメントを決定するために、推挙された１又は複数種類のサプリメントを表示手段に表示させるサプリメント表示制御手段を設け、
前記サプリメント決定手段は、表示手段に表示されるサプリメントのうちからユーザーに所望のサプリメントを選択可能とするサプリメント選択手段を備えたことを特徴とする請求項１〜３の何れかに記載のサプリメント調合システム。
【請求項５】
表示手段とコンピュータとを備え各ユーザー用に複数種のサプリメントを調合するサプリメント調合システムであって、
複数種のサプリメントについて夫々１又は複数種の栄養素データと商品名データ又は会社名データを含むマスターデータを格納したマスターデータベースと、
ユーザーが希望する商品名又は会社名を入力可能な名称入力手段と、
前記名称入力手段から入力された商品名又は会社名と、マスターデータベースのデータとに基づいてユーザーが欲する商品名又は会社名に対応する１又は複数種類のサプリメントを表示手段に表示させるサプリメント表示制御手段と、
前記表示手段に表示される１又は複数種類のサプリメントのうちからユーザーに所望のサプリメントを選択して決定するサプリメント決定手段と、
複数種のサプリメントを収納しておき、サプリメント決定手段で決定されたサプリメントを自動的に分包する分包機と、
を備えたことを特徴とするサプリメント調合システム。
【請求項６】
前記マスターデータベースは、各種のサプリメント毎に、サプリメントの商品コード、商品名、販売元会社名、価格、含んでいる栄養素の成分量、効用、１日あたりの摂取量のデータを備えていることを特徴とする請求項１〜５の何れかに記載のサプリメント調合システム。
【請求項７】
前記サプリメント決定手段で決定された１又は複数種のサプリメントについて、１日あたりの価格を算出する価格算出手段を有することを特徴とする請求項６に記載のサプリメント調合システム。
【請求項８】
前記サプリメント決定手段で決定された１又は複数種のサプリメントについて、所定服用回数分の価格を算出する価格算出手段を有することを特徴とする請求項６に記載のサプリメント調合システム。
【請求項９】
前記所定服用回数を変更可能に設定する服用回数設定手段を備え、前記服用回数設定手段で設定された所定服用回数分のサプリメントを分包機に各服用分毎に分包させることを特徴とする請求項８に記載のサプリメント調合システム。
【請求項１０】
前記価格算出手段で算出された価格を表示手段に表示させた後、サプリメント決定手段で決定された１又は複数種のサプリメントの各々について、その決定を取り消すか否か選択可能とする購入選択手段を備えたことを特徴とする請求項７〜９の何れかに記載のサプリメント調合システム。
【請求項１１】
前記サプリメントを購入するユーザーについて、少なくとも、ユーザー識別データ、性別、身長、体重のデータを格納するユーザーデータベースを設けたことを特徴とする請求項１〜１０の何れかに記載のサプリメント調合システム。
【請求項１２】
印字手段及びバーコードリーダーを設け、前記サプリメント決定手段で決定された１又は複数種のサプリメントの情報とユーザー識別用のバーコードを印字手段に印字させ、
前記バーコードリーダーで読み取ったユーザー識別用のバーコードの情報に基づいて、前記ユーザーに対してサプリメント決定手段で決定されたサプリメントの情報を読み出し、そのサプリメント情報に基づいて分包機にサプリメントを分包させることを特徴とする請求項１１に記載のサプリメント調合システム。
【請求項１３】
前記サプリメント情報の一部として、購入する１又は複数種のサプリメントに含まれる複数種類の栄養素の摂取量を、各栄養素毎に表示して関連付けたバランスグラフで印字手段に印字させることを特徴とする請求項１２に記載のサプリメント調合システム。
【発明の詳細な説明】
【０００１】
【発明の属する技術分野】本発明はサプリメント調合システムに関し、特に、ユーザーの利便性を改善したサプリメント調合システムに関する。
【０００２】
【従来の技術】近年、栄養補助食品であるサプリメントが広く普及しており、市販されているサプリメントの種類も非常に多い。サプリメントはビタミンやミネラルや漢方薬等を主成分とする食品であり、その剤形には錠剤や散剤等がある。例えば、錠剤や散剤からなるサプリメントは数１０〜数１００  個ずつ纏めて市販され、販売価格が高価なもの（例えば、数千円、数万円するもの）もある。
【０００３】
サプリメントは、不足している栄養素を補うために摂取して、健康状態を維持したり不健康状態を改善するためのものである。ガンや糖尿病等の現代病の増加は栄養素の欠乏によるところが多く、それ故、サプリメントを摂取する必要性は非常に大きい。最近では、美容やストレス（過労や寝不足等）の改善を目的にサプリメントを摂取するという人も多い。
【０００４】
ところで、サプリメントを購入する場合、自分の健康状態や不足（欠乏）している栄養素は何であるかを自己分析して、不足している栄養素を主成分とするサプリメントを購入し、また、美容やストレスの改善を目的とする場合には、その目的にかなうサプリメントを、自分の健康状態やそのサプリメントを摂取した場合に栄養素が偏らないか等を考えて購入する必要がある。特定の栄養素だけを過剰に摂取して栄養のバランスが崩れることは望ましくない。
【０００５】
サプリメントを購入する薬局等には、多種多様のサプリメントが市販されており、それらサプリメントの中から自分に合ったサプリメントを、場合によっては店員（薬剤師等）に聞いて探し出す必要がある。自分に合ったサプリメントが見つかればそれを購入することになるが、前述のように、錠剤や散剤からなるサプリメントは数１０〜数１００  個のずつ纏めて市販されているため、必要以上にサプリメントを購入し購入金額が高額になることもある。複数種類のサプリメントを購入するとその購入金額は当然高額になり、それらサプリメントを服用する場合は種類毎にサプリメントを所定数ずつ取り出す必要がある。
【０００６】
従来、個人のパソコンからインターネットを介して、個人情報、個人が摂取した摂取食品名及び量、個人が希望する目的等を中央端末処理装置に入力することにより、必要栄養情報や必要食品情報等をディスプレイに表示させ、その個人が補うべきサプリメントの調合データを出力し、サプリメントを分包して配布する個別サプリメント調合システムが提案されている（例えば、特許文献１参照）。
【０００７】
また、個人データと共にその個人の健康状態パラメータをテーブル化したデータベースＡと、個人の健康状態パラメータごとに関連するサプリメントの品目とその影響度をテーブル化したデータベースＢとを備え、データベースＡ，Ｂに基づいて、個人に最適なサプリメントの最適量を算出し、その算出されたサプリメントの最適量を１つのパッケージに詰めてユーザーに配布するサプリメント調合宅配システムが周知である（例えば、特許文献２参照）。
【０００８】
更に、自動販売機において、購入者に商品（サプリメント）を選ぶ為の質問を行い、その質問に回答することにより、購入者の状態を診断して、その診断結果に基づいて購入者に適した商品を推挙し、診断結果や購入した商品の情報をプリントアウトする技術が周知である（例えば、特許文献３参照）。
【０００９】
【特許文献１】特開２００２−２４４０２号公報
【特許文献２】特開２００２−９９６２５号公報
【特許文献３】特開２００２−２９８２１５号公報
【００１０】
【発明が解決しようとする課題】前述のように、例えば薬局で市販されている多種多様のサプリメントの中から、自分の健康状態や不足している栄養素は何であるかを自己分析して、不足している栄養素を主成分とするサプリメントを選び出すことや、美容やストレスの改善を目的とする場合には、その目的にかなうサプリメントを、自分の健康状態やそのサプリメントを摂取した場合に栄養素が偏らないか等を考えて選び出すことは難しく、自分に合ったサプリメントを購入できないということもある。
【００１１】
例えば、店員に聞いて自分に合ったサプリメントを購入しようとしても、その店員が知識（例えば、栄養学的知識）不足である場合には、やはり、自分に合ったサプリメントを、選び出すことが難しく購入できないことがある。更に、錠剤や散剤からなるサプリメントは数１０〜数１００  個の単位で纏めて市販されているため、必要以上にサプリメントを購入して購入金額が高額になること、購入したサプリメントを長期間保存して劣化すること、同種のサプリメントばかり摂取して栄養のバランスが崩れること、等の虞もある。複数種類のサプリメントを購入するとその購入金額は当然高額になり、更に、それらサプリメントを服用する場合は種類毎にサプリメントを所定数ずつ取り出す必要があり非常に煩雑である。
【００１２】
特許文献１の個別サプリメント調合システムでは、種々の情報を入力することにより、人が補うべきサプリメントの調合データを出力するが、この文献１には、その調合データをどのように用いて、どのようにサプリメントを分包するのかについての技術記載はない。それ故、調合データの作成後、必要なサプリメントを迅速・確実に分包できないという虞があり、この場合、必要なサプリメントを迅速に分包してほしいというユーザーのニーズに応えることができない。
【００１３】
また、調合データを作成したり、必要栄養情報や必要食品情報等を表示させるために、入力される個人データ以外に基礎となるどのようなデータが記憶されているかの技術記載も乏しく、また、必要栄養情報や必要食品情報等を表示するだけで、その他サプリメントに関連する表示が行われないのでは、ユーザーのニーズに応えることができないという面がある。
【００１４】
また、この個別サプリメント調合システムでは、サプリメントの調合データを出力し、分包してユーザーに配布されてきたサプリメントの量及び価格が必要以上になる虞がある。つまり、出力された調合データに基づくサプリメントの量をユーザーが変更したり実際に購入するかどうか決定することができず、この点ユーザーの意思は反映されない。即ち、購入価格が高価になり過ぎるという虞から、このシステムを気軽に利用できない人もいるであろう。
【００１５】
特許文献２のサプリメント調合配布システムでは、テーブルＡ，Ｂに基づいて、個人の最適なサプリメントの最適量を算出し、その算出されたサプリメントの最適量を１つのパッケージに詰めてユーザーに配布するが、上記同様、分包してユーザーに配布されてきたサプリメントの量が多すぎたり価格が高価になり過ぎる虞があるし、その他、前記文献１の課題に準ずる課題が生じる。
【００１６】
特許文献３の自動販売機では、診断結果や購入した商品の情報をプリントアウトして購入者に提供することができるが、払い出されて購入するサプリメントは、市販されているのと同様に複数個数を纏めてビン詰めされたものであるため、購入したサプリメントの量が多過ぎたり、価格が高価になり過ぎる虞がある。その他、前記文献１の課題に準ずる課題が生じる。
【００１７】
本発明の目的は、ユーザーに必要な（ユーザーが望む）１又は複数種類のサプリメントを簡単・確実・迅速に決定し、その後、決定された１又は複数種類のサプリメントを分包機で自動的に分包してユーザーに迅速に提供できるようにし、更に、最終的にはユーザーが購入予定のサプリメント、購入量、価格を決定できるようにして、ユーザーのニーズに応えて利便性を高めることができる、サプリメント調合システムを提供することである。
【００１８】
【課題を解決するための手段】請求項１のサプリメント調合システムは、表示手段とコンピュータとを備え各ユーザー用に複数種のサプリメントを調合するサプリメント調合システムであって、複数種のサプリメントについて夫々１又は複数種の栄養素データを含むマスターデータを格納したマスターデータベースと、複数種の症状の各々と１又は複数種の栄養素との対応関係データを格納した症状栄養素データベースと、ユーザーの症状を入力可能な症状入力手段と、前記症状入力手段から入力された症状と、マスターデータベースと症状栄養素データベースのデータとに基づいて前記症状を改善可能な１又は複数種のサプリメントを決定するサプリメント決定手段と、複数種のサプリメントを収納しておき、サプリメント決定手段で決定されたサプリメントを自動的に分包する分包機とを備えたことを特徴とするものである。
【００１９】
このサプリメント調合システムでは、症状入力手段からユーザーの症状が入力されると、その症状と、マスターデータベースと症状栄養素データベースのデータとに基づいて、サプリメント決定手段により前記症状を改善可能な栄養素を含む１又は複数種のサプリメントが決定され、その１又は複数種のサプリメントが分包機により自動的に分包される。ユーザーの症状を入力することにより、そのユーザーに必要な（ユーザーが望む）１又は複数種類のサプリメントを簡単・確実・迅速に決定し、その後、決定された１又は複数種類のサプリメントを分包機で自動的に分包して迅速にユーザーに提供できる。尚、分包機において、サプリメント決定手段で決定された１又は複数種のサプリメントを各服用毎に分包（一包化）するように構成することが好ましい。
【００２０】
請求項２のサプリメント調合システムは、表示手段とコンピュータとを備え各ユーザー用に複数種のサプリメントを調合するサプリメント調合システムであって、複数種のサプリメントについて夫々１又は複数種の栄養素データを含むマスターデータを格納したマスターデータベースと、種々のユーザーがサプリメントを摂る複数種の目的の各々と１又は複数種の栄養素との対応関係データを格納した目的栄養素データベースと、ユーザーがサプリメントを摂る目的を入力可能な目的入力手段と、前記目的入力手段から入力された目的と、マスターデータベースと目的栄養素データベースのデータとに基づいて前記目的に合った１又は複数種のサプリメントを決定するサプリメント決定手段と、複数種のサプリメントを収納しておき、サプリメント決定手段で決定されたサプリメントを自動的に分包する分包機とを備えたことを特徴とするものである。
【００２１】
このサプリメント調合システムでは、目的入力手段からユーザーがサプリメントを摂る目的が入力されると、その目的と、マスターデータベースと目的栄養素データベースのデータとに基づいて、サプリメント決定手段により前記目的に合った栄養素を含む１又は複数種のサプリメントが決定され、その１又は複数種のサプリメントが分包機により自動的に分包される。ユーザーがサプリメントを摂る目的を入力することにより、そのユーザーに必要な（ユーザーが望む）１又は複数種類のサプリメントを簡単・確実・迅速に決定し、その後、決定された１又は複数種類のサプリメントを分包機で自動的に分包してユーザーに迅速に提供できる。
【００２２】
請求項３のサプリメント調合システムは、表示手段とコンピュータとを備え各ユーザー用に複数種のサプリメントを調合するサプリメント調合システムであって、複数種のサプリメントについて夫々１又は複数種の栄養素データを含むマスターデータを格納したマスターデータベースと、ユーザーが希望する栄養素を入力可能な栄養素入力手段と、前記栄養素入力手段から入力された栄養素と、マスターデータベースのデータとに基づいてユーザーが欲する１又は複数種のサプリメントを決定するサプリメント決定手段と、複数種のサプリメントを収納しておき、サプリメント決定手段で決定されたサプリメントを自動的に分包する分包機とを備えたことを特徴とするものである。
【００２３】
このサプリメント調合システムでは、栄養素入力手段からユーザーが希望する栄養素が入力され、その栄養素とマスターデータベースのデータとに基づいて、サプリメント決定手段により、ユーザーが欲する前記栄養素を含む１又は複数種のサプリメントが決定され、その１又は複数種のサプリメントが分包機により自動的に分包される。ユーザーが希望する栄養素を入力することにより、そのユーザーに必要な（ユーザーが望む）１又は複数種類のサプリメントを簡単・確実・迅速に決定し、その後、決定された１又は複数種類のサプリメントを分包機で自動的に分包してユーザーに迅速に提供できる。
【００２４】
請求項４のように、請求項１〜３の何れかにおいては、前記サプリメント決定手段でサプリメントを決定するために、推挙された１又は複数種類のサプリメントを表示手段に表示させるサプリメント表示制御手段を設け、前記サプリメント決定手段は、表示手段に表示されるサプリメントのうちからユーザーに所望のサプリメントを選択可能とするサプリメント選択手段を備えてもよい。ユーザーの症状や、ユーザーがサプリメントを摂る目的や、ユーザーが希望する栄養素に応じて推挙された、１又は複数種類のサプリメントを表示手段に表示させ、サプリメント決定手段において、表示手段に表示されたサプリメントのうちからユーザーに所望のサプリメントを選択手段により選択して決定できる。
【００２５】
請求項５のサプリメント調合システムは、表示手段とコンピュータとを備え各ユーザー用に複数種のサプリメントを調合するサプリメント調合システムであって、複数種のサプリメントについて夫々１又は複数種の栄養素データと商品名データ又は会社名データを含むマスターデータを格納したマスターデータベースと、ユーザーが希望する商品名又は会社名を入力可能な名称入力手段と、前記名称入力手段から入力された商品名又は会社名と、マスターデータベースのデータとに基づいてユーザーが欲する商品名又は会社名に対応する１又は複数種類のサプリメントを表示手段に表示させるサプリメント表示制御手段と、前記表示手段に表示される１又は複数種類のサプリメントのうちからユーザーに所望のサプリメントを選択して決定するサプリメント決定手段と、複数種のサプリメントを収納しておき、サプリメント決定手段で決定されたサプリメントを自動的に分包する分包機とを備えたことを特徴とするものである。
【００２６】
このサプリメント調合システムでは、名称入力手段からユーザーが希望する商品名又は会社名を入力されると、その商品名又は会社名とマスターデータベースのデータとに基づいて、サプリメント表示制御手段により、ユーザーが欲する商品名又は会社名に対応する１又は複数種類のサプリメントが表示手段に表示され、サプリメント決定手段により、表示手段に表示される１又は複数種類のサプリメントのうちからユーザーに所望のサプリメントが選択されて決定される。ユーザーが希望する商品名又は会社名を入力することにより、そのユーザーに必要な（ユーザーが望む）１又は複数種類のサプリメントを簡単・確実・迅速に決定し、その後、決定された１又は複数種類のサプリメントを分包機で自動的に分包してユーザーに迅速に提供できる。
【００２７】
請求項６のように、請求項１〜５の何れかにおいては、前記マスターデータベースは、各種のサプリメント毎に、サプリメントの商品コード、商品名、販売元会社名、価格、含んでいる栄養素の成分量、効用、１日あたりの摂取量のデータを備えてもよい。サプリメント決定手段により、ユーザーに必要なサプリメントを確実に決定して分包機で分包させることができ、また、各サプリメントの、商品名、販売元会社名、価格、成分量、効用、摂取量を、表示手段や印字手段等に出力させてユーザーに提供可能になる。
【００２８】
請求項７のように、請求項６においては、前記サプリメント決定手段で決定された１又は複数種のサプリメントについて、１日あたりの価格を算出する価格算出手段を有することが好ましい。この場合、請求項６に記載のマスターデータベースに記憶された価格が１錠あたりの価格である場合、その１錠あたりの価格と１日あたりの摂取量のデータから１日あたりの価格が算出される。そして、この１日あたりの価格の情報を表示手段や印字手段等に出力させてユーザーに提供可能になる。ユーザーはこの価格情報に基づいて、最終的に購入予定のサプリメント、購入量、価格を決定できるように構成できる。
【００２９】
請求項８のように、請求項６においては、前記サプリメント決定手段で決定された１又は複数種のサプリメントについて、所定服用回数分の価格を算出する価格算出手段を有することが好ましい。この場合、請求項６に記載のマスターデータベースに記憶された価格が１錠あたりの価格である場合、マスターデータベースに１回（１服用）の適正量のデータを備えることにより、その１錠あたりの価格と１回適正量のデータから所定服用回数分の価格が算出される。そして、この所定服用回数分の価格の情報を表示手段や印字手段等に出力させてユーザーに提供可能になる。ユーザーはこの価格情報に基づいて、最終的に購入予定のサプリメント、購入量、価格を決定できるように構成できる。
【００３０】
請求項９のように、請求項８においては、前記所定服用回数を変更可能に設定する服用回数設定手段を備え、前記服用回数設定手段で設定された所定服用回数分のサプリメントを分包機に各服用分毎に分包させるようにしてもよい。服用回数設定手段により、所定服用回数を自由に変更して設定することができ、この服用回数の変更を行うことにより、分包機に分包させる購入予定のサプリメントの量及び価格を変更することがでる。
【００３１】
請求項１０のように、請求項７〜９の何れにおいては、前記価格算出手段で算出された価格を表示手段に表示させた後、サプリメント決定手段で決定された１又は複数種のサプリメントの各々について、その決定を取り消すか否か選択可能とする購入選択手段を備えてもよい。サプリメント決定手段により複数種のサプリメントが決定された後、これらサプリメントの各々について、例えば表示手段に表示された価格を参考にして購入希望価格となるように、その決定を取り消すか否か購入選択手段により選択することができ、最終的にユーザーが購入予定のサプリメント、購入量、価格を決定できるように構成できる。
【００３２】
請求項１１のように、請求項１〜１０の何れかにおいては、前記サプリメントを購入するユーザーについて、少なくとも、ユーザー識別データ、性別、身長、体重のデータを格納するユーザーデータベースを設けてもよい。ユーザーデータベースに、このシステムを利用した各ユーザーのユーザーデータを格納して管理できると共に、このユーザーデータに対応付けてサプリメント決定手段３０で決定されたサプリメント等に関する情報を記憶させ管理でき、次回このシステムを利用する際に、これらデータを使用することで利便性が高められる。
【００３３】
請求項１２のように、請求項１１においては、印字手段及びバーコードリーダーを設け、前記サプリメント決定手段で決定された１又は複数種のサプリメントの情報とユーザー識別用のバーコードを印字手段に印字させ、前記バーコードリーダーで読み取ったユーザー識別用のバーコードの情報に基づいて、前記ユーザーに対してサプリメント決定手段で決定されたサプリメントの情報を読み出し、そのサプリメント情報に基づいて分包機にサプリメントを分包させてもよい。
【００３４】
サプリメント決定手段で決定された１又は複数種類のサプリメントの情報とユーザー識別用のバーコードが印字手段により印字され、その情報をユーザーに提供することができる。実際にサプリメントを購入するか否かに関わらずその情報のユーザーへの提供を可能とし、そして、ユーザーがサプリメントを購入したい場合には、そのユーザー識別用のバーコードをバーコードリーダーで読み取ることにより、そのサプリメント情報に基づいてサプリメント分包機にサプリメントを分包させることができる。
【００３５】
請求項１３のように、請求項１２においては、前記サプリメント情報の一部として、購入する１又は複数種のサプリメントに含まれる複数種類の栄養素の摂取量を、各栄養素毎に表示して関連付けたバランスグラフで印字手段に印字させてもよい。ユーザーは、購入する１又は複数種のサプリメントに含まれる複数種類の栄養素の摂取量を容易に把握することができる。
【００３６】
【発明の実施の形態】以下、本発明の実施の形態について図面を参照して説明する。本実施形態は、複数種類のサプリメント（栄養補助食品）を販売している薬局に、本発明のサプリメント調合システムを設置した場合の例である。
図１、図２に示すように、サプリメント調合システム１は、パソコン本体２、キーボード３、マウス４、バーコードリーダ５、カードリーダ６、ディスプレイ７、ディスプレイ７の画面前面に設けたタッチパネル８、プリンタ９、カード発行装置１０、サプリメント分包機１１等で構成されている。
【００３７】
図２に示すように、パソコン本体２には、ＣＰＵとＲＯＭとＲＡＭと入出力インターフェースとを含むコンピュータ１５、ハードディスク１６、ＣＤドライブ１７、ＦＤドライブ１８が設けられ、そのコンピュータ１５に、サプリメント分包機１１がデータ通信可能に接続され、キーボード３、マウス４、バーコードリーダ５、カードリーダ６、ディスプレイ７、タッチパネル８、プリンタ９、カード発行装置１０も電気的に接続されている。
【００３８】
図１、図３に示すように、サプリメント分包機１１は、制御ユニット２０、分包機構２１、ディスプレイ２２、タッチパネル２３、プリンタ２４を備え、制御ユニット２０にパソコン本体２のコンピュータ１５がデータ通信可能に接続され、分包機構２１、ディスプレイ２２、タッチパネル２３、プリンタ２４も電気的に接続されている。
【００３９】
図１に示すように、サプリメント分包機１１は縦長直方体状の本体ケース２５を備え、その本体ケース２５の内部に制御ユニット２０と分包機構２１とプリンタ２４が設けられている。本体ケース２５の中段部の前面左部にディスプレイ２２が設けられ、その画面前面にタッチパネル２３が設けられ、本体ケース２５の下部には、分包機構２１で分包されたサプリメントを払い出す払出口２６が形成され、その払出口２６の右側にプリンタ２４で印刷された比較的幅の狭い用紙を排出する用紙排出口２７が形成されている。
【００４０】
分包機構２１には、複数種類の錠剤からなるサプリメントが種類別に収納される複数の収納部と、これら複数種類のサプリメントを夫々払い出す複数のフィーダとを有し、各フィーダが制御ユニット２０により制御され、指示された１又は複数のフィーダから、指示された量（個数）のサプリメントか指示された服用回数分払出され、各服用分毎に所定の分包紙にてパッケージングされて、１又は複数種類のサプリメントが１回の服用分ずつ分包される。
【００４１】
このサプリメント分包機１１においては、タッチパネル２３でのタッチ操作により、運転開始／停止の他、分包するサプリメントの種類、個数、服用回数を指定できるが、こうした指定を行わなくても、パソコン本体２から送信されてきた分包データに基づいて、パソコン本体２で決定された１又は複数種類のサプリメントを１回の服用分ずつ分包できるようになっている。尚、サプリメント分包機１１の運転／停止等の基本操作もパソコン本体２側から指示可能である。
【００４２】
次に、パソコン本体２のコンピュータ１５が実行する機能及びその周辺機能について説明する。尚、コンピュータ１５が実行する機能は、コンピュータ１５のＲＯＭやハードディスク１６に格納されたプログラムにより達成される。
図４に示すように、コンピュータ１５は、サプリメント決定手段３０、価格算出手段３１、服用回数設定手段３２、購入選択手段３３、表示制御手段３４、印字制御手段３５を備え、表示制御手段３４がディスプレイ７からなる表示手段４０を制御し、印字制御手段３５がプリンタ９からなる印字手段４１を制御する。
【００４３】
ハードディスク１６には、コンピュータ１５が実行する各機能を達成させるために、ユーザーデータベース５０、商品マスターデータベース５１、成分マスターデータベース５２、販売元マスターデータベース５３、症状栄養素マスターデータベース５４、目的栄養素マスターデータベース５５、配合禁忌マスターデータベース５６、サプリメント調合データベース５６が備えられている。
【００４４】
ユーザーデータベース５０には、サプリメントを購入する多数のユーザーに関するユーザーデータを格納可能であり、各ユーザーデータは、図５に示すように、ユーザー識別データであるＩＤ、名前、年齢、性別、職業、住所、電話番号、ｅ−ｍａｉｌアドレス・・・、身長、体重、血液型、視力、喫煙量・・・等のデータを含んでいる。但し、これら全てのデータでユーザーデータを構成しなくても一部省略可能である。
【００４５】
商品マスターデータベース５１には、市販されている複数種のサプリメントの商品マスターデータが格納されており、各商品マスターデータは、図６に示すように、商品コード、商品名称、販売価格／１錠（１錠あたりの販売価格）、購入価格／１錠（１錠あたりの購入価格）、１箱入り数（市販されているサプリメントの１箱（ビン）に入っている数）、購入単価／１箱（市販されているサプリメントの１箱（ビン）の価格）、１回適正量、１錠あたり成分量（１錠に含んでいる栄養素の成分量）、推奨１日服用回数、推奨服用時、１錠あたりエネルギー、成人１日推奨所要量（１日あたりの摂取量）、成分内容、対応症状、対応目的、販売元会社名であるメーカー名、効用を含む商品説明、商品画像、のデータを含んでいる。
【００４６】
各商品マスターデータにおいて、成分内容データは、例えば、成分マスターデータベース５２に格納された図７の成分マスターデータの成分コードに対応するデータであり、各サプリメントに含まれている１又は複数種の成分（栄養素）の詳細な情報が、成分内容データに対応する１又は複数種の成分マスターデータに基づいて得られる。また、各商品マスターデータにおいて、メーカー名データは、例えば、販売元マスターデータベース５３に格納された図８の販売元データの会社コードに対応するデータであり、各サプリメントの販売元会社の詳細な情報が、メーカー名データに対応する販売元マスターデータに基づいて得られる。
【００４７】
成分マスターデータベース５２には、市販されている複数種のサプリメントに含まれる複数種の成分（栄養素）の成分マスターデータが格納されており、各成分マスターデータは、図７に示すように、成分コード、成分名称、成人一日適正所要量、成人一日最低摂取量、成人一日摂取過剰量、効用を含む成分説明、成分配合禁忌、吸収助長、のデータを含んでいる。各成分マスターデータにおいて、成分配合禁忌データは、例えば、配合禁忌マスターデータベース５６に格納された図１１の配合禁忌マスターデータの配合禁忌コードに対応するデータであり、各成分の配合禁忌の詳細な情報が、成分配合禁忌データに対応する１又は複数種の配合禁忌マスターデータに基づいて得られる。
【００４８】
ここで、商品マスターデータと成分マスターデータが、特許請求の範囲に記載のマスターデータに相当し、複数種のサプリメントについて夫々１又は複数種の栄養素データを含むマスターデータ（商品マスターデータと成分マスターデータ）を格納した商品マスターデータベース５１と成分マスターデータベース５２が、特許請求の範囲に記載のマスターデータベースに相当する。
【００４９】
販売元データベース５３には、市販されている複数種のサプリメントの販売元の販売元データが格納されており、各販売元データは、図８に示すように、会社コード、会社名、備考、のデータが含まれている。
【００５０】
症状栄養素マスターデータベース５４には、複数種の症状の症状マスターデータが格納されており、各症状マスターデータは、図９に示すように、症状コード、症状名、症状説明、成分対応説明、症状分類、対応成分、のデータを含んでいる。各症状マスターデータにおいて、対応成分データは、例えば、成分マスターデータベース５２に格納された図７の成分マスターデータの成分コードに対応するデータであり、各症状を改善可能な１又は複数種の成分の詳細な情報が、対応成分データに対応する１又は複数種の成分マスターデータに基づいて得られる。
【００５１】
目的栄養素マスターデータベース５５には、種々のユーザーがサプリメントを摂る複数種の目的に関する目的マスターデータが格納されており、各目的マスターデータは、図１０に示すように、目的コード、目的名、目的説明、成分対応説明、対応成分、のデータを含んでいる。各目的マスターデータにおいて、対応成分データは、例えば、成分マスターデータベース５２に格納された図７の成分マスターデータの成分コードに対応するデータであり、各目的に合った１又は複数種の成分に関する情報が、対応成分データに対応する１又は複数種の成分マスターデータに基づいて得られる。
【００５２】
ここで、症状栄養素マスターデータベース５４に格納された、各症状マスターデータの対応成分データが、複数種の症状の各々と１又は複数種の栄養素との対応関係データに相当し、目的栄養素マスターデータベース５５に格納された、各目的マスターデータの対応成分データが、種々のユーザーがサプリメントを摂る複数種の目的の各々と１又は複数種の栄養素との対応関係データに相当する。
【００５３】
配合禁忌マスターデータベース５６には、複数種の配合禁忌に関する配合禁忌マスターデータが格納されており、各配合禁忌マスターデータは、図１１に示すように、配合禁忌コード、配合禁忌名（配合禁忌となる成分組合せ）、配合禁忌説明、のデータを含んでいる。
【００５４】
前記入力手段３８、サプリメント決定手段３０、価格算出手段３１、服用回数設定手段３２、購入選択手段３３、表示制御手段３４、印字制御手段３５等について説明する。
【００５５】
入力手段３８は、キーボード３、マウス４、タッチパネル８等からなるが、本実施形態の場合は、特にタッチパネル８としてある。入力手段３８は、特許請求の範囲に記載された症状入力手段と目的入力手段と栄養素入力手段と名称入力手段とを兼用したものであり、この入力手段３８から、（１）ユーザーの症状、（２）ユーザーがサプリメントを摂る目的、（３）ユーザーが希望する栄養素（成分）、（４）ユーザーが希望する商品名又は会社名、を入力可能である。
【００５６】
（１）症状を入力した場合、サプリメント決定手段３０により、その症状に対応する症状マスターデータが症状栄養素マスターデータベース５４から読み出され、その症状マスターデータの対応成分データに対応する、１又は複数種の成分が含まれている１又は複数種のサプリメントが決定される。このように、サプリメント決定手段３０は、入力手段３８から入力された症状と、商品マスターデータベース５１と症状栄養素マスターデータベース５３のデータとに基づいて前記症状を改善可能な１又は複数種のサプリメントを決定する。
【００５７】
（２）目的を入力した場合、サプリメント決定手段３０により、その目的に対応する目的マスターデータが目的栄養素マスターデータベース５５から読み出され、その目的マスターデータの対応成分データに対応する、１又は複数種の成分が含まれている１又は複数種のサプリメントが決定される。このように、サプリメント決定手段３０は、入力手段３８から入力された目的と、商品マスターデータベース５１と目的栄養素マスターデータベース５５のデータとに基づいて前記目的に合った１又は複数種のサプリメントを決定する。
【００５８】
（３）栄養素を入力した場合、その１又は複数種の栄養素（成分）が含まれている１又は複数種のサプリメントが決定される。つまり、サプリメント決定手段３０は、入力手段３８から入力された栄養素と、マスターデータベースのデータとに基づいてユーザーが欲する１又は複数種のサプリメントを決定する。
【００５９】
サプリメント決定手段３０は、サプリメント推挙手段３０ａとサプリメント選択手段３０ｂとを有し、サプリメント決定手段３０でサプリメントを決定するために、先ず、表示制御手段３４がサプリメント推挙手段３０ａで推挙された１又は複数種のサプリメントを表示手段４０に表示させ、サプリメント選択手段３０ｂにより、表示手段４０に表示されるサプリメントのうちからユーザーに所望のサプリメントを選択可能である。
【００６０】
（４）商品名又は会社名を入力した場合、表示制御手段３４が、入力手段３８から入力された商品名又は会社名と、商品マスターデータベース５１のデータとに基づいてユーザーに欲する商品名又は会社名に対応する１又は複数種類のサプリメントを表示手段４０に表示させ、サプリメント決定手段３０は、表示手段４０に表示される１又は複数種のサプリメントのうちからユーザーに所望のサプリメントを選択して決定する。
【００６１】
ここで、サプリメント分包機１１には、前記のように複数種のサプリメントが予め収納されており、サプリメント決定手段３０が決定するサプリメントは、サプリメント分包機１１に収納されているサプリメントに限定されるように構成してある。そして、上記（１）〜（４）の入力により、サプリメント決定手段３５により決定されたサプリメントがサプリメント分包機１１により自動的に分包される。
【００６２】
この場合、コンピュータ１５において、サプリメント決定手段３０で決定されたサプリメントを分包する為の分包データが作成され、その分包データがコンピュータ１５からサプリメント分包機１１に送信され、この分包データに基づいてサプリメント分包機１１が作動する。尚、サプリメント決定手段３０は、サプリメント分包機１１に収納されているサプリメント以外のサプリメントも決定可能にしてもよい。
【００６３】
価格算出手段３１は、サプリメント決定手段３０で決定された１又は複数種のサプリメントについて、そのサプリメントの商品マスターデータの、購入価格／１錠と成人一日推奨所要量のデータに基づいて、一日あたりの価格を算出すると共に、購入価格／１錠と１回適正量（又は成人一日推奨所要量）のデータに基づいて、所定服用回数分（所定服用日数分）の価格を算出する。
【００６４】
服用回数設定手段３２は、前記所定服用回数（所定服用日数）を変更可能に設定する為のもので、例えば、サプリメント決定手段３０によるサプリメント決定直後は、所定服用回数として２週間分の基準服用回数が自動的に設定され、その後、所定服用回数を自由に変更し設定することができる。そして、服用回数設定手段３２で設定された所定服用回数分の価格が価格算出手段３１により算出されると共に、サプリメント決定手段３０により決定されサプリメントであって、服用回数設定手段３２で設定された所定服用回数分のサプリメントをサプリメント分包機１１に各服用分毎に分包させるようにしてある。
【００６５】
購入選択手段３３は、サプリメント決定手段３０で決定された１又は複数種のサプリメントの各々について、その決定を取り消すか否か選択可能である。こうして最終的に決定されたサプリメントの情報（サプリメントの商品コード、服用回数、価格等々のデータ）が、そのユーザーのＩＤに対応付けてサプリメント調合データベース５７に格納される。
【００６６】
表示制御手段３４はディスプレイ１６からなる表示手段４０を制御し、表示手段４０に、入力手段３８から種々の情報を入力する為の入力画面や、サプリメント決定手段３０により決定されたサプリメントの情報等を表示させる。
印字制御手段３５はプリンタ９からなる印字手段４１を制御し、印字手段４１に、サプリメント決定手段３０により決定されたサプリメントの情報とユーザー識別用のバーコードを印字させ、図３７に示すオーダーシートＯＳを作成する。
【００６７】
そのオーダーシートＯＳのバーコードをバーコードリーダー５で読み取らせると、コンピュータ１５は、そのユーザー識別用のバーコードの情報に基づいて、ユーザーに対してサプリメント決定手段３０で決定されたサプリメントの情報をサプリメント調合データベース５７から読み出して、そのサプリメント情報に基づいてサプリメント分包機１１にサプリメントを分包させるようにしてある。
【００６８】
また、コンピュータ１５は、サプリメント決定手段３０で決定されたサプリメントを分包した場合、そのユーザーに対してカード発行装置１０にユーザーカードを発行させる。このユーザーカードにはユーザーの識別情報が磁気テープで記録されており、今後、その識別情報をカードリーダ６で読み取ると、そのユーザーに対してサプリメント決定手段３０で前回決定されたサプリメントの情報をサプリメント調合データベース５７から読み出して、そのサプリメント情報に基づいてサプリメント分包機１１にサプリメントを分包させることが可能となる。
【００６９】
次に、このサプリメント調合システム１の全体の流れについて図１１に基づいて、また、図１１の各処理の詳細を図１９〜図４４を参照して説明する。
ここで、先ず、図１３〜図１８に基づいて、商品マスターデータ、成分マスターデータ、販売元マスターデータ、症状栄養素マスターデータ、目的栄養素マスターデータ、配合禁忌マスターデータの登録について説明する。
【００７０】
商品マスターデータの登録については、図１３の商品マスター登録画面をディスプレイ７表示させ、商品コード、商品名称、販売価格／１錠・・・の各欄に入力設定し、変更することも可能である。尚、１錠あたり成分量（例えば、カルシウム→３００ｍｇ）の設定については、各成分とその単位とを対応づけて記憶した単位マスターデータベース（図示略）が設けられ、成分を設定することにより、その成分の単位が自動的に設定される。
【００７１】
成分マスターデータの登録については、図１４の成分マスター登録画面をディスプレイ７に表示させ、成分コード、成分名称、成人一日適正所要量・・・の各欄に入力設定し、変更することも可能である。尚、成人一日適正所要量等の単位は、前記単位マスターデータベースのデータに基づいて自動的に設定される。また、各成分とその成分吸収を助長する物とを対応付けて記憶した吸収助長マスターデータベース（図示略）が設けられ、その成分に対する吸収助長物が自動的に設定される。また、配合禁忌となる組合せは、その成分と配合禁忌マスターデータベース５６のデータに基づいて自動的に設定される。
【００７２】
販売元マスターデータの登録については、図１５の販売元マスター登録画面をディスプレイ７に表示させ、会社コード、会社名、備考の各欄に入力設定し、変更することも可能である。
【００７３】
症状栄養素マスターデータの登録については、図１６の症状栄養素マスター登録画面をディスプレイ７に表示させ、症状コード、症状名称、症状分類・・・の各欄に入力設定し、変更することも可能である。各症状とその症状が分類される症状分類を大分類（生活習慣病、女性特有の症状、体に関する症状、加齢による症状、肌のトラブル、ストレスの少なくもと１つ）及び小分類（例えば、生活習慣病の小分類として、高血圧、抜け毛、糖尿病、骨粗しょう症、肩こり、肥満の何れか）とを対応づけて記憶した症状分類マスターデータベース（図示略）が設けられ、症状を設定することにより、その症状大分類が自動的に設定される。
【００７４】
目的栄養素マスターデータの登録については、図１７の目的栄養素マスター登録画面をディスプレイ７に表示させ、目的コード、目的名称、目的説明・・・の各欄に入力して設定し、変更することも可能である。
配合禁忌マスターデータベースの登録については、図１８の配合禁忌マスター登録画面をディスプレイ７に表示させ、配合禁忌コード、配合禁忌名称、配合禁忌説明の各欄に入力して設定し、変更することも可能である。
【００７５】
以上のように、複数種類の、商品マスターデータ、成分マスターデータ、販売元マスターデータ、症状栄養素マスターデータ、目的栄養素マスターデータ、配合禁忌マスターデータが登録され設定されているものとして、次に、このサプリメント調合システム１の流れ（図１２のＰｉ（ｉ＝１、２、３・・・）は各処理を示す）について説明する。尚、入力や指示や指定等の操作はタッチパネル８をタッチすることにより行われる。
【００７６】
図１２に示すように、ディスプレイ７に例えば待機画面が表示されている状態で、タッチパネル８にタッチすることにより操作が開始され（Ｐ１）、ディスプレイ７に図１９の初期画面が表示される。そこで、「２回目以降」を指定すると、ディスプレイ７にＩＤ入力画面（図示略）が表示され、Ｐ２において、ユーザーＩＤを入力するが、このとき、タッチパネル８にタッチしてＩＤを入力するか、ユーザーカードがある場合には、カードリーダ６によりそのユーザーカードからＩＤを読み取って入力することができる。
【００７７】
ユーザーＩＤが入力されると、Ｐ３において、そのユーザーＩＤに対応する、ユーザーデータがユーザーデータベース５０から呼び出されるとともに、前回の情報がサプリメント調合データベース５７から呼び出され、これらのデータに基づいて、ディスプレイ７に図２０の基本情報画面が表示され、そこで、「商品選択画面へ」を指示することにより選択が開始される（Ｐ４）。尚、「中止」を指示するとこれまでの処理が中止され、また、「もどる」を指示すると、ディスプレイ７に前回表示されていた画面（図１９の初期画面）が表示される。
【００７８】
一方、ディスプレイ７に表示された図１９の初期画面で「はじめて」を指定すると、Ｐ５において、ディスプレイ７に図２１のシステム説明画面が表示される。そこで、「開始画面へ」を指示すると、Ｐ６において、ディスプレイ７に基本情報入力画面（図示略）が表示され、そこで、ＩＤ、名前、年齢、性別等々のユーザーデータを入力し、その後、図２０の基本情報画面が表示されている場合と同様に、「商品選択画面へ」を指示することにより選択が開始される（Ｐ４）。
【００７９】
選択開始においては、ディスプレイ７に図２２の選択画面が表示され、そこで、「症状からえらぶ」、「栄養素からえらぶ」、「目的からえらぶ」、「商品からからえらぶ」、「商品紹介」の中の１つを選択する。「症状から選ぶ」を選択した場合（Ｐ７）、ディスプレイ７に図２３の症状選択画面が表示され、「生活習慣病」、「女性特有の症状」・・・等の複数の項目の中の１つを選択する。
【００８０】
そこで、例えば「生活習慣症」を選択すると、ディスプレイ７に図２４の症状選択第２画面が表示され、「高血圧」、「抜け毛」・・・等の生活習慣症に関する複数の症状の中の１つを選択する。そこで、例えば「骨粗しょう症」を選択すると、症状栄養素データベース５４から、骨粗しょう症の症状栄養素マスターデータが読み込まれ、その症状栄養素マスターデータの症状説明と成分対応説明のデータに基づいて、ディスプレイ７に図２５の症状説明画面が表示される。
【００８１】
そこで、「該当する商品一覧へ」を指示すると、ディスプレイ７に図２６のサプリメント選択画面が表示される。このサプリメント選択画面に表示される１又は複数種のサプリメントはサプリメント決定手段３０のサプリメント推挙手段３０ａにより推挙されるが、この場合、症状栄養素マスターデータの対応成分のデータと、その成分に対応する、商品マスターデータベース５１と成分マスターデータベース５２のデータに基づいて、前記対応成分を含んでいる１又は複数種のサプリメントが推挙される。
【００８２】
そして、推挙された１又は複数種のサプリメントの商品マスターデータベースが商品マスターデータベース５１から読み込まれ、これら商品マスターデータの、商品画像、商品名称、メーカー名、１回適正量、販売価格／１錠、１錠あたり成分量、商品説明のデータに基づいて、ディスプレイ７に図２６のサプリメント選択画面が表示される。ここで表示されたサプリメントは最初は全て購入対象外となっており、次に、サプリメント選択手段３０ｂによって、「購入」をタッチすることによりその表示が白黒反転表示されて、その欄のサプリメントが購入対象となり、こうして、ユーザーに所望のサプリメントを選択可能となる。
【００８３】
ユーザーに所望のサプリメントを選択した後、「会計へ」を指示すると、ディスプレイ７に図３５の商品期間決定画面が表示される。また、「他の症状から商品を選ぶ」を指示すると、決定されたサプリメントの情報は消去又は保持されて、ディスプレイ７に図２３の症状選択画面が表示される。
【００８４】
次に、Ｐ４の選択開始において、ディスプレイ７に図２２の選択画面が表示された状態で、「目的から選ぶ」を選択した場合（Ｐ８）、ディスプレイ７に図２７の目的選択画面が表示され、「生活習慣病を予防したい」、「女性特有の悩みを予防したい」・・・等の複数の項目の中の１つを選択する。
【００８５】
そこで、例えば「生活習慣病を予防したい」を選択すると、ディスプレイ７に図２８の目的選択第２画面が表示され、「高血圧」、「抜け毛」・・・等の生活習慣病に関する複数の症状の中から予防したい症状を１つ選択する。そこで、例えば「骨粗しょう症」を選択すると、目的栄養素データベース５５から、骨粗しょう症の目的栄養素マスターデータが読み込まれ、その目的栄養素マスターデータの目的説明と成分対応説明のデータに基づいて、ディスプレイ７に目的説明画面（図示略）が表示される。
【００８６】
そこで、「該当する商品一覧へ」を指示すると、ディスプレイ７に図２６に相当するサプリメント選択画面が表示される。このサプリメント選択画面に表示される１又は複数種のサプリメントはサプリメント決定手段３０のサプリメント推挙手段３０ａにより推挙されるが、この場合、目的栄養素マスターデータの対応成分のデータと、その成分に対応する、商品マスターデータベース５１と成分マスターデータベース５２のデータに基づいて、前記対応成分を含んでいる１又は複数種のサプリメントが推挙される。その後の処理については、「症状からえらぶ」を選択した場合と同様である。
【００８７】
次に、Ｐ４の選択開始において、ディスプレイ７に図２２の選択画面が表示された状態で、「栄養素から選ぶ」を選択した場合（Ｐ９）、ディスプレイ７に図２９の栄養素選択画面が表示され、ユーザーが希望する栄養素の頭文字となる「ア」〜「ン」の何れかを選択する。そこで、例えば「ヒ」を選択すると、ディスプレイ７に図３０の栄養素第２選択画面が表示され、頭文字が「ヒ」「ビ」「ピ」の何れかとなる１又は複数種の栄養素が表示される。
【００８８】
そこで、例えば「ビタミンＢ１」を選択すると、ビタミンＢ１の成分マスターデータが成分マスターデータベース５２から読み込まれ、その成分マスターデータの成分説明のデータに基づいて、ディスプレイ７に図３１の栄養素説明画面が表示される。そこで、「成分を含む商品一覧へ」を指示することにより、ディスプレイ７に図３２のサプリメント選択画面が表示され、選択した栄養素を含む１又は複数種のサプリメントが推挙されて表示され、そこで、「購入」へのタッチ操作を介して購入対象とするサプリメントを選択する。
【００８９】
次に、Ｐ４の選択開始において、ディスプレイ７に図２２の選択画面が表示された状態で、「商品から選ぶ」を選択した場合（Ｐ１０）、ディスプレイ７に図３３の商品選択画面が表示され、ユーザーが希望する商品又は販売社名の頭文字となる「ア」〜「ン」の何れかを選択する。すると、ディスプレイ７に商品選択第２画面（図示略）が表示され、選択した文字が頭文字となる１又は複数種のサプリメント、又は、選択した文字が頭文字となる会社が販売している１又は複数種のサプリメントが表示される。そこでも、「購入」へのタッチ操作を介して購入対象のサプリメントを選択するようにしてもよい。
【００９０】
ここで、図３４に示すように、ディスプレイ７に図２６や図３２のサプリメント選択画面が表示されている状態で、「詳細」を指示することにより、その欄のサプリメントの詳細説明画面がディスプレイ７に表示される。この詳細説明画面においては、そのサプリメントの商品マスターデータと、そのサプリメントに含まれている栄養素（成分）の成分マスターデータとに基づいて、サプメントの画像として、サプリメントを収容した収容体の外観図だけでなく、サプリメント自体の画像が表示され、サプリメントの効用を含む商品説明、成分の効用を含む成分説明等種々の詳細な情報が表示される。
【００９１】
次に、サプリメント決定手段３０でサプリメントが決定された後、Ｐ１２において、購入する商品構成および服用する期間の検討、決定が行われる。この場合、ディスプレイ７に図３５の商品期間決定画面が表示され、この商品期間決定画面では、サプリメント決定手段３０で決定された各サプリメントについて、その商品マスターデータに基づいて、商品画像、商品名、販売元、成人一日推奨所要量、一日あたりの価格、成分内容、１錠あたり成分量、商品説明が表示される。
【００９２】
決定された１又は複数種のサプリメントの各々の一日あたりの価格については、価格算出手段３１により、各商品マスターデータの販売価格／１錠と成人一日推奨所要量のデータに基づいて算出される。また、この商品期間決定画面では、決定された１又は複数種のサプリメント全ての一日あたりの価格と、所定服用日数分（即ち、所定服用回数）の価格が表示される。
【００９３】
決定された１又は複数種のサプリメント全ての一日あたりの価格については、価格算出手段３１により、決定されたサプリメントの一日あたりの各価格を加算して算出される。所定服用回数に相当する所定服用日数分は、服用回数設定手段３２により設定され、所定服用日数分（即ち、所定服用回数分）の価格については、価格算出手段３１により、決定された１又は複数種のサプリメント全ての一日あたりの価格と、服用回数設定手段３２で設定された所定服用日数とを積算して算出される。
【００９４】
図３５の商品期間決定画面では、決定された各サプリメントに対して「このサプリはやめる」が表示されており、その「このサプリはやめる」へのタッチ操作を介して、対応するサプリメントのサプリメント決定手段３０による決定を取り消すことができる。サプリメントの決定が取り消された場合、決定されたサプリメント全ての一日あたりの価格と、所定服用日数分の合計価格とが変更される。
【００９５】
また、服用回数設定手段３２により、タッチパネル８への所定のタッチ操作を介して所定服用日数（即ち所定服用回数）を変更することができ、所定服用日数が変更されると、決定されたサプリメント全ての所定服用日数分の合計価格が変更される。こうして、ユーザーは商品構成と服用期間、および購入価格を自由に決定することができる。
【００９６】
さて、ディスプレイ７に図３５の商品期間決定画面が表示された状態で、「決定」を指示すると、Ｐ１２が終了し、次に、栄養バランスの集計が行われる（Ｐ１３）。この栄養バランスの集計では、サプリメント決定手段３０で決定された１又は複数種のサプリメントの商品マスターデータに基づいて、このサプリメントに含まれる複数種類の成分（栄養素）の一日あたりの摂取量が、各栄養素毎に算出され、ディスプレイ７に図３６の栄養バランス表示画面が表示される。
【００９７】
この栄養バランス表示画面にはバランスグラフ７ａとその説明が表示される。このバランスグラフは正Ｎ角形のグラフ（Ｎは、決定されたサプリメントに含まれている全成分の数）であり、外点線が摂取過剰量であり、内点線が最低摂取量であり、色枠内領域が適正所要量である。このＮ角形の中心から各頂点への線分において、Ｎ角形の中心０として栄養素量を表示するが、この場合、成分マスターデータの適正所要量と最低摂取量と摂取過剰量のデータに基づいて、前記内点線と色枠内領域が決定され、適正所要量と最低摂取量と摂取過剰量に対して、実際に摂取予定の栄養素の摂取量割合が判るように前記線分上に摂取量がプロットされて表示される。
【００９８】
次に、ディスプレイ７に図３６の栄養バランス表示画面が表示された状態で、「オーダーシートの印刷」を指示すると、Ｐ１４において、印字手段４１により図３７のオーダーシートＯＳが印字出力される。このオーダーシートＯＳには、このオーダーシートＯＳが作成された年月日と、ユーザー情報として、ユーザー名と年齢と性別と職業とユーザー識別用のバーコードと、サプリメント決定手段３０で決定された１又は複数種類のサプリメントの情報が印刷される。
【００９９】
前記サプリメントの情報としては、サプリメント決定手段３０で決定された１又は複数種類のサプリメントの各々の、商品名、購入単価／１箱、１箱入り数、一日あたりの金額と、決定された１又は複数種類のサプリメントの一日あたりの価格、所定服用日数、所定服用日数分の価格が印刷されると共に、サプリメント情報の一部として、購入する（購入予定の）１又は複数種のサプリメントに含まれる複数種類の栄養素の摂取量を、各栄養素毎に表示して関連付けたバランスグラフが印字される。このバランスグラフは図３６のグラフと同様である。
【０１００】
更に、サプリメント決定手段３０では決定されなかった１又は複数種のサプリメントであって、例えば症状や目的に合ったお勧めの１又は複数種のサプリメントの情報（商品名、会社名、商品説明）も印刷される。このお勧めのサプリメントを決定する場合、略サプリメント決定手段３０と同等のお勧めのサプリメント決定手段を設け、これにより、サプリメント決定手段３０では決定されなかったけれども決定しても問題のないサプリメントがお勧め商品として決定される。
【０１０１】
次に、Ｐ１５において、オーダーシートＯＳのバーコードをバーコードリーダ５で読み込ませると、そのバーコードリーダー５で読み取ったユーザー識別用のバーコードの情報に基づいて、前記ユーザーに対してサプリメント決定手段で決定されたサプリメントの情報がサプリメント調合データベース５７から読み出され、そのサプリメント情報に基づいてサプリメント分包機１１にサプリメントを分包させる。この場合、読み出されたサプリメントの情報から分包データが作成されてサプリメント分包機１１に送信され、サプリメント分包機１１はその分包データに基づいて作動して分包処理を行う。
【０１０２】
その後、Ｐ１６において、サプリメント購入者が店側に清算を行い、清算が完了すると、Ｐ１７において、店側データが集計される。この店側データの集計のために、売り上げた商品、商品を売り上げた年月日、売り上げた商品に含まれる成分、売り上げた商品を購入したユーザ情報（性別、年齢）、売り上げた商品を決定するために入力した症状名、目的等が、対応付けて集計データベースに記憶され、複数種のサプリメントの在庫量が在庫量データベースに記憶されている。
【０１０３】
さて、コンピュータ１５には、次に説明する店側データ集計を行う為のデータ集計手段（データ集計ソフトを含む）が設けられている。このデータ集計手段は、図３８に示す［成分売上ランキング］の集計、図３９に示す［商品別売上ランキング］の集計、［商品別売上層］の集計、［症状別選択回数ランキング］の集計、［目的別選択回数ランキング］の集計、［在庫発注］の集計、［商品年間売上数］の集計を行い、これら集計情報を表示手段４０に表示させたり、印刷手段４１に印字させたりすることができる。
【０１０４】
図３８の［成分売上ランキング］は帳票として印刷されるものであるが、表示手段４０に表示させる場合も同等の表示となる。この［成分売上ランキング］では、所定期間（例えば、１週間）において、各成分毎にその成分を含んでいる全商品の数量／成分量を算出して（売上金額又は購入回数を算出してもよい）、その売上（数量／成分量）の多いものから成分をランキングし、各成分においてもその成分を含んでいる複数種の商品の各々の数量、成分量を算出して、その売上の多いものから商品をランキングする。
【０１０５】
図３９の［商品別売上ランキング］は帳票として印刷されるものであるが、表示手段４０に表示させる場合も同等の表示となる。この［商品別売上ランキング］では、所定期間において、複数種の商品の各々の売上金額と数量／成分量と購入回数を算出して、その売上（売上金額又は数量／成分量又は購入回数）が多いものから商品をランキングする。
【０１０６】
図４０の［商品別売上層］は帳票として印刷されるものであるが、表示手段４０に表示させる場合も同等の表示となる。この［商品別売上層］では、所定期間において、男性と女性の各々に対して、各年齢層毎に複数種の商品の全売上数量／成分量を算出して、男性と女性を分けて棒グラフに表して集計する。また、男性と女性を合わせて、各年齢層毎に複数種の商品の全売上数量／成分量を円グラフに表して集計する。また、売上累計として、総売上金額と総数量／成分量を演算して集計する。
【０１０７】
図４１の［症状別選択回数ランキング］は帳票として印刷されるものであるが、表示手段４０に表示させる場合も同等の表示となる。この［症状別選択回数ランキング］では、所定期間において、入力された各症状毎にその症状から選択された全商品の選択回数を算出して、その選択回数の多いものから症状をランキングし、各症状においてもその症状から選択された複数種の商品の各々の選択回数を算出して、その選択回数の多いものから商品をランキングする。
【０１０８】
図４２の［目的別選択回数ランキング］は帳票として印刷されるものであるが、表示手段４０に表示させる場合も同等の表示となる。この［目的別選択回数ランキング］では、所定期間において、入力された各目的毎にその目的から選択された全商品の選択回数を算出して、その選択回数の多いものから目的をランキングし、各目的においてもその目的から選択された複数種の商品の各々の選択回数を算出して、その選択回数の多いものから商品をランキングする。
【０１０９】
図４３の［在庫発注表］は帳票として印刷されるものであるが、表示手段４０に表示させる場合も同等の表示となる。この［在庫発注表］では、各商品の、発注が必要となる在庫の下限数、現在の在庫個数、発注する必要がある発注必要数が集計され、各商品を発注する注文先電話番号も表示される。尚、サプリメント分包機１１に収容されているサプリメントの在庫量を管理可能にしてもよい。
【０１１０】
図４４の［商品別年間売上表］は帳票として印刷されるものであるが、表示手段４０に表示させる場合も同等の表示となる。この［商品別年間売上表］では、１年間において、各月毎に商品の売上数／成分量を算出し、棒グラフに表して集計し、たま、各月毎に商品の選択回数を算出し、棒グラフに表して集計する。
【０１１１】
このサプリメント調合システム１によれば、入力手段３０からユーザーの症状が入力されると、その症状と、商品マスターデータベース５１と成分マスターデータベース５２と症状栄養素データベース５４のデータとに基づいて、サプリメント決定手段３０が前記症状を改善可能な栄養素を含む１又は複数種のサプリメントを決定し、その１又は複数種のサプリメントをサプリメント分包機１１が自動的に分包する。つまり、ユーザーの症状を入力することにより、ユーザーに必要な（ユーザーが望む）１又は複数種類のサプリメントを簡単・確実・迅速に決定し、その後、決定された１又は複数種類のサプリメントをサプリメント分包機１１で自動的に分包して迅速にユーザーに提供でき、その結果、ユーザーのニーズに応えて利便性を高めることができる。
【０１１２】
入力手段３８からユーザーがサプリメントを摂る目的が入力されると、その目的と、商品マスターデータベース５１と成分マスターデータベース５２と目的栄養素データベース５５のデータとに基づいて、サプリメント決定手段３０が前記目的に合った栄養素を含む１又は複数種のサプリメントを決定し、その１又は複数種のサプリメントをサプリメント分包機１１が自動的に分包する。つまり、ユーザーがサプリメントを摂る目的を入力することにより、そのユーザーに必要な（ユーザーが望む）１又は複数種類のサプリメントを簡単・確実・迅速に決定することができ、その他は上記の効果と略同様である。
【０１１３】
入力手段３８からユーザーが希望する栄養素が入力され、その栄養素と商品マスターデータベース５１のデータとに基づいて、サプリメント決定手段３０がユーザーが欲する前記栄養素を含む１又は複数種のサプリメントを決定し、その１又は複数種のサプリメントをサプリメント分包機１１が自動的に分包する。つまり、ユーザーが希望する栄養素を入力することにより、そのユーザーに必要な（ユーザーが望む）１又は複数種類のサプリメントを簡単・確実・迅速に決定することができ、その他は上記の効果と略同様である。
【０１１４】
サプリメント決定手段３０でサプリメントを決定するために、サプリメント推挙手段３０ａで推挙された１又は複数種類のサプリメントを表示手段４０に表示させる表示制御手段３４を設け、前記サプリメント決定手段３０は、表示手段４０に表示されるサプリメントのうちからユーザーに所望のサプリメントを選択可能とするサプリメント選択手段３０ｂを備えたので、ユーザーの症状や、ユーザーがサプリメントを摂る目的や、ユーザーが希望する栄養素に応じて推挙された、１又は複数種類のサプリメントを表示手段４０に表示させ、サプリメント決定手段３０において、表示手段４０に表示されたサプリメントのうちからユーザーに所望のサプリメントを選択手段３０ｂにより選択して決定することができる。
【０１１５】
入力手段３８からユーザーが希望する商品名又は会社名を入力されると、その商品名又は会社名と商品マスターデータベース５１のデータとに基づいて、表示制御手段３４がユーザーが欲する商品名又は会社名に対応する１又は複数種類のサプリメントを表示手段４０に表示させ、サプリメント決定手段３０が表示手段４０に表示される１又は複数種類のサプリメントのうちからユーザーに所望のサプリメントを選択して決定する。つまり、ユーザーが希望する商品名又は会社名を入力することにより、そのユーザーに必要な（ユーザーが望む）１又は複数種類のサプリメントを簡単・確実・迅速に決定することができ、その他は上記の効果と略同様である。
【０１１６】
成分マスターデータベース５３は、各種のサプリメント毎に、サプリメントの商品コード、商品名、販売元会社名、価格、含んでいる栄養素の成分量、効用、１日あたりの摂取量のデータを備えているので、サプリメント決定手段３０により、ユーザーに必要なサプリメントを確実に決定してサプリメント分包機１１で分包させることができ、また、各サプリメントの、商品名、販売元会社名、価格、成分量、効用、摂取量を、表示手段４０や印字手段４１等に出力させてユーザーに提供することが可能になる。
【０１１７】
サプリメント決定手段３０で決定された１又は複数種のサプリメントについて、１日あたりの価格を算出する価格算出手段３１を有するので、この１日あたりの価格の情報を表示手段４０に出力させてユーザーに提供可能になり、ユーザーはこの価格情報に基づいて、最終的に購入予定のサプリメント、購入量、価格を決定できるようになる。
【０１１８】
サプリメント決定手段３０で決定された１又は複数種のサプリメントについて、所定服用回数分の価格を算出する価格算出手段３１を有するので、この所定服用回数分の価格の情報を表示手段４０に出力させてユーザーに提供可能になり、ユーザーはこの価格情報に基づいて、最終的に購入予定のサプリメント、購入量、価格を決定できるように構成できる。
【０１１９】
前記所定服用回数を変更可能に設定する服用回数設定手段３２を備え、服用回数設定手段３２で設定された所定服用回数分のサプリメントをサプリメント分包機１１に各服用分毎に分包させるので、所定服用回数を自由に変更して設定することができ、この服用回数の変更を行うことにより、分包機に分包させる購入予定のサプリメントの量及び価格を変更することがでる。
【０１２０】
価格算出手段３１で算出された価格を表示手段４０に表示させた後、サプリメント決定手段３０で決定された１又は複数種のサプリメントの各々について、その決定を取り消すか否か選択可能とする購入選択手段３３を備えたので、サプリメント決定手段３０により複数種のサプリメントが決定された後、これらサプリメントの各々について、例えば表示手段４０に表示された価格を参考にして購入希望価格となるように、その決定を取り消すか否か購入選択手段３３により選択することができ、最終的にユーザーが購入予定のサプリメント、購入量、価格を決定できるようになる。
【０１２１】
サプリメントを購入するユーザーについて、少なくとも、ユーザー識別データ、性別、身長、体重のデータを格納するユーザーデータベース５０を設けたので、ユーザーデータベース５０に、このシステムを利用した各ユーザーのユーザーデータを格納して管理できると共に、このユーザーデータに対応付けてサプリメント決定手段３０で決定されたサプリメント等に関する情報を記憶させ管理でき、次回このシステムを利用する際に、これらデータを使用することで利便性を高めることが可能になる。
【０１２２】
サプリメント決定手段３０で決定された１又は複数種類のサプリメントの情報とユーザー識別用のバーコードが印字手段４１により印字され、その情報をユーザーに提供することができる。実際にサプリメントを購入するか否かに関わらずサプリメントの情報のユーザーへの提供を可能とし、そして、ユーザーがサプリメントを購入したい場合には、そのユーザー識別用のバーコードをバーコードリーダー５で読み取ることにより、そのサプリメント情報に基づいてサプリメント分包機１１にサプリメントを分包させることができる。
【０１２３】
サプリメント情報の一部として、購入する１又は複数種のサプリメントに含まれる複数種類の栄養素の摂取量を、各栄養素毎に表示して関連付けたバランスグラフで印字手段に印字させてので、ユーザーは、購入する１又は複数種のサプリメントに含まれる複数種類の栄養素の摂取量を容易に把握することができる。
【０１２４】
尚、前記実施形態を次のように変更してもよい。
１］入力手段３８からユーザー症状を入力した場合、成分マスターデータベース５２のデータを使用しなくても、その症状を改善可能なサプリメントを直接的に決定してもよい。同様に、入力手段３８からユーザーがサプリメントを摂る目的を入力した場合、成分マスターデータベース５２のデータを使用しなくても、その目的にあったサプリメントを直接的に決定してもよい。
【０１２５】
２］前記実施形態では、サプリメント分包機１１で分包するサプリメントは錠剤としてあるが散剤のサプリメントを分包可能にしてもよい。この場合、サプリメント決定手段３０では散剤のサプリメントを決定するようにしてもよい。
３］サプリメント分包機１１は錠剤だけを分包するもの、散剤だけを分包するもの、錠剤と散剤を混ぜて分包するもの、等々の種々の分包機を適用可能である。
【０１２６】
４］複数のサプリメント調合システム１をインターネット５０を介して相互に接続し、更には、これらサプリメント調合システム１にホストコンピュータを接続して、複数のサプリメント調合システム１において種々のデータ（例えば、商品マスターデータ、成分マスターデータ、ユーザーマスターデータ等々）を共有して使用できるようにしてもよい。
【０１２７】
５］前記入力手段３８として、インターネット及びそのインターネットを介して接続されたユーザー側パソコンとしてもよい。ユーザーは、わざわざ、薬局等へ行かなくても、ユーザー側パソコンより、そのユーザーに必要なサプリメントを決定する為の情報を入力することが可能となり、ユーザーは非常に便利になる。
【０１２８】
６］以上のサプリメント調合システムにおいては、薬局に設置するだけでなく、病院、フィットネスクラブ（スポーツジム）、デパート、コンビニエンスストア等々、種々の場所に設置し利用することができ、そこで、ユーザーがサプリメントを決定してもらい購入するだけでなく、例えば、栄養士による健康相談を含むカウンセリング等、種々のカウンセリングを受け得るシステムに構成できる。
【０１２９】
【発明の効果】請求項１のサプリメント調合システムによれば、症状入力手段からユーザーの症状が入力されると、その症状と、マスターデータベースと症状栄養素データベースのデータとに基づいて、サプリメント決定手段が前記症状を改善可能な栄養素を含む１又は複数種のサプリメントを決定し、その１又は複数種のサプリメントを分包機が自動的に分包する。つまり、ユーザーの症状を入力することにより、ユーザーに必要な（ユーザーが望む）１又は複数種類のサプリメントを簡単・確実・迅速に決定し、その後、決定された１又は複数種類のサプリメントを分包機で自動的に分包して迅速にユーザーに提供でき、その結果、ユーザーのニーズに応えて利便性を高めることができる、
【０１３０】
請求項２のサプリメント調合システムによれば、目的入力手段からユーザーがサプリメントを摂る目的が入力されると、その目的と、マスターデータベースと目的栄養素データベースのデータとに基づいて、サプリメント決定手段が前記目的に合った栄養素を含む１又は複数種のサプリメントを決定し、その１又は複数種のサプリメントを分包機が自動的に分包する。つまり、ユーザーがサプリメントを摂る目的を入力することにより、そのユーザーに必要な（ユーザーが望む）１又は複数種類のサプリメントを簡単・確実・迅速に決定することができ、その他は請求項１の効果と略同様である。
【０１３１】
請求項３のサプリメント調合システムによれば、栄養素入力手段からユーザーが希望する栄養素が入力され、その栄養素とマスターデータベースのデータとに基づいて、サプリメント決定手段がユーザーが欲する前記栄養素を含む１又は複数種のサプリメントを決定し、その１又は複数種のサプリメントを分包機が自動的に分包する。つまり、ユーザーが希望する栄養素を入力することにより、そのユーザーに必要な（ユーザーが望む）１又は複数種類のサプリメントを簡単・確実・迅速に決定することができ、その他は請求項１の効果と略同様である。
【０１３２】
請求項４のサプリメント調合システムによれば、サプリメント決定手段でサプリメントを決定するために、推挙された１又は複数種類のサプリメントを表示手段に表示させるサプリメント表示制御手段を設け、前記サプリメント決定手段は、表示手段に表示されるサプリメントのうちからユーザーに所望のサプリメントを選択可能とするサプリメント選択手段を備えたので、ユーザーの症状や、ユーザーがサプリメントを摂る目的や、ユーザーが希望する栄養素に応じて推挙された、１又は複数種類のサプリメントを表示手段に表示させ、サプリメント決定手段において、表示手段に表示されたサプリメントのうちからユーザーに所望のサプリメントを選択手段により選択して決定することができる。
【０１３３】
請求項５のサプリメント調合システムによれば、名称入力手段からユーザーが希望する商品名又は会社名を入力されると、その商品名又は会社名とマスターデータベースのデータとに基づいて、サプリメント表示制御手段がユーザーが欲する商品名又は会社名に対応する１又は複数種類のサプリメントを表示手段に表示させ、サプリメント決定手段が表示手段に表示される１又は複数種類のサプリメントのうちからユーザーに所望のサプリメントを選択して決定する。つまり、ユーザーが希望する商品名又は会社名を入力することにより、そのユーザーに必要な（ユーザーが望む）１又は複数種類のサプリメントを簡単・確実・迅速に決定することができ、その他は請求項１の効果と略同様である。
【０１３４】
請求項６のサプリメント調合システムによれば、マスターデータベースは、各種のサプリメント毎に、サプリメントの商品コード、商品名、販売元会社名、価格、含んでいる栄養素の成分量、効用、１日あたりの摂取量のデータを備えているので、サプリメント決定手段により、ユーザーに必要なサプリメントを確実に決定して分包機で分包させることができ、また、各サプリメントの、商品名、販売元会社名、価格、成分量、効用、摂取量を、表示手段や印字手段等に出力させてユーザーに提供することが可能になる。
【０１３５】
請求項７のサプリメント調合システムによれば、サプリメント決定手段で決定された１又は複数種のサプリメントについて、１日あたりの価格を算出する価格算出手段を有するので、この１日あたりの価格の情報を表示手段や印字手段等に出力させてユーザーに提供可能になり、ユーザーはこの価格情報に基づいて、最終的に購入予定のサプリメント、購入量、価格を決定できるように構成できる。
【０１３６】
請求項８のサプリメント調合システムによれば、サプリメント決定手段で決定された１又は複数種のサプリメントについて、所定服用回数分の価格を算出する価格算出手段を有するので、この所定服用回数分の価格の情報を表示手段や印字手段等に出力させてユーザーに提供可能になり、ユーザーはこの価格情報に基づいて、最終的に購入予定のサプリメント、購入量、価格を決定できるように構成できる。
【０１３７】
請求項９のサプリメント調合システムによれば、前記所定服用回数を変更可能に設定する服用回数設定手段を備え、服用回数設定手段で設定された所定服用回数分のサプリメントを分包機に各服用分毎に分包させるので、所定服用回数を自由に変更して設定することができ、この服用回数の変更を行うことにより、分包機に分包させる購入予定のサプリメントの量及び価格を変更することがでる。
【０１３８】
請求項１０のサプリメント調合システムによれば、価格算出手段で算出された価格を表示手段に表示させた後、サプリメント決定手段で決定された１又は複数種のサプリメントの各々について、その決定を取り消すか否か選択可能とする購入選択手段を備えたので、サプリメント決定手段により複数種のサプリメントが決定された後、これらサプリメントの各々について、例えば表示手段に表示された価格を参考にして購入希望価格となるように、その決定を取り消すか否か購入選択手段により選択することができ、最終的にユーザーが購入予定のサプリメント、購入量、価格を決定できるように構成できる。
【０１３９】
請求項１１のサプリメント調合システムによれば、サプリメントを購入するユーザーについて、少なくとも、ユーザー識別データ、性別、身長、体重のデータを格納するユーザーデータベースを設けたので、ユーザーデータベースに、このシステムを利用した各ユーザーのユーザーデータを格納して管理できると共に、このユーザーデータに対応付けてサプリメント決定手段で決定されたサプリメント等に関する情報を記憶させ管理でき、次回このシステムを利用する際に、これらデータを使用することで利便性が高められる。
【０１４０】
請求項１２のサプリメント調合システムによれば、サプリメント決定手段で決定された１又は複数種類のサプリメントの情報とユーザー識別用のバーコードが印字手段により印字され、その情報をユーザーに提供することができる。実際にサプリメントを購入するか否かに関わらずその情報のユーザーへの提供を可能とし、そして、ユーザーがサプリメントを購入したい場合には、そのユーザー識別用のバーコードをバーコードリーダーで読み取ることにより、そのサプリメント情報に基づいてサプリメント分包機にサプリメントを分包させることができる。
【０１４１】
請求項１３のサプリメント調合システムによれば、サプリメント情報の一部として、購入する１又は複数種のサプリメントに含まれる複数種類の栄養素の摂取量を、各栄養素毎に表示して関連付けたバランスグラフで印字手段に印字させるので、ユーザーは、購入する１又は複数種のサプリメントに含まれる複数種類の栄養素の摂取量を容易に把握することができる。
【図面の簡単な説明】
【図１】本発明の実施形態に係るサプリメント調合システムの斜視図である。
【図２】サプリメント調合システムのブロック図である。
【図３】サプリメント分包機のブロック図である。
【図４】サプリメント調合システムの機能ブロック図である。
【図５】ユーザーデータの構成図である。
【図６】商品マスターデータの構成図である。
【図７】成分マスターデータの構成図である。
【図８】販売元マスターデータの構成図である。
【図９】症状栄養素マスターデータの構成図である。
【図１０】目的栄養素マスターデータの構成図である。
【図１１】配合禁忌マスターデータの構成図である。
【図１２】サプリメント調合システムの処理工程図である。
【図１３】商品マスター登録画面である。
【図１４】成分マスター登録画面である。
【図１５】販売元マスター登録画面である。
【図１６】症状栄養素マスター登録画面である。
【図１７】目的栄養素マスター登録画面である。
【図１８】配合禁忌マスター登録画面である。
【図１９】初期画面である。
【図２０】基本情報画面である。
【図２１】システム説明画面である。
【図２２】選択画面である。
【図２３】症状選択画面である。
【図２４】症状選択第２画面である。
【図２５】症状説明画面である。
【図２６】サプリメント選択画面である。
【図２７】目的選択画面である。
【図２８】目的選択第２画面である。
【図２９】栄養素選択画面である。
【図３０】栄養素選択第２画面である。
【図３１】栄養素説明画面である。
【図３２】サプリメント選択画面である。
【図３３】商品選択画面である。
【図３４】詳細説明画面である。
【図３５】商品期間決定画面である。
【図３６】栄養バランス表示画面である。
【図３７】印刷されたオーダーシートである。
【図３８】成分別売上ランキングを集計した図である。
【図３９】商品別売上ランキングの集計した図である。
【図４０】商品別売上層の集計した図である。
【図４１】症状別選択回数ランキングの集計した図である。
【図４２】目的別選択回数ランキングの集計した図である。
【図４３】在庫発注表の図である。
【図４４】商品別年間売上数の図である。
【符号の説明】
１            サプリメント調合システム
５            バーコードリーダー
１１          サプリメント分包機
１５          コンピュータ
３０          サプリメント決定手段
３０ａ        サプリメント推挙手段
３０ｂ        サプリメント選択手段
３１          価格算出手段
３２          服用回数設定手段
３３          購入選択手段
３４          表示制御手段
３８          入力手段
４０          表示手段
４１          印字手段
５０          ユーザーデータベース
５１          商品マスターデータベース
５２          成分マスターデータベース
５４          症状栄養素マスターデータベース
５５          目的栄養素マスターデータベース
【図１】
2004272618.tif 000003
【図２】
2004272618.tif 000004
【図３】
2004272618.tif 000005
【図４】
2004272618.tif 000006
【図５】
2004272618.tif 000007
【図６】
2004272618.tif 000008
【図７】
2004272618.tif 000009
【図８】
2004272618.tif 000010
【図９】
2004272618.tif 000011
【図１０】
2004272618.tif 000012
【図１１】
2004272618.tif 000013
【図１２】
2004272618.tif 000014
【図１３】
2004272618.tif 000015
【図１４】
2004272618.tif 000016
【図１５】
2004272618.tif 000017
【図１６】
2004272618.tif 000018
【図１７】
2004272618.tif 000019
【図１８】
2004272618.tif 000020
【図１９】
2004272618.tif 000021
【図２０】
2004272618.tif 000022
【図２１】
2004272618.tif 000023
【図２２】
2004272618.tif 000024
【図２３】
2004272618.tif 000025
【図２４】
2004272618.tif 000026
【図２５】
2004272618.tif 000027
【図２６】
2004272618.tif 000028
【図２７】
2004272618.tif 000029
【図２８】
2004272618.tif 000030
【図２９】
2004272618.tif 000031
【図３０】
2004272618.tif 000032
【図３１】
2004272618.tif 000033
【図３２】
2004272618.tif 000034
【図３３】
2004272618.tif 000035
【図３４】
2004272618.tif 000036
【図３５】
2004272618.tif 000037
【図３６】
2004272618.tif 000038
【図３７】
2004272618.tif 000039
【図３８】
2004272618.tif 000040
【図３９】
2004272618.tif 000041
【図４０】
2004272618.tif 000042
【図４１】
2004272618.tif 000043
【図４２】
2004272618.tif 000044
【図４３】
2004272618.tif 000045
【図４４】
2004272618.tif 000046